(57)【特許請求の範囲】
【請求項１】
各々電話ジャックを備えた火報端末及び火災受信盤とを電話線を介して接続し、該火報端末と該火災受信盤との間で通話を行う火災報知システム用電話装置において、
前記火災受信盤に備えられた前記電話ジャックを介して、前記火災受信盤に接続される第１の送受話器は、スピーカ及びマイクのみを内蔵するとともに、
前記火災受信盤は、
前記第１の送受話器に内蔵された前記マイクからの入力信号、及び、前記スピーカへの出力信号を増幅するアンプ回路と、
前記火報端末に備えられた前記電話ジャックを介して、前記火報端末に専用の第２の送受話器が接続されたことを検出する端末側接続検出回路と、
前記火災受信盤に備えられた前記電話ジャックを介して、前記火災受信盤に前記第１の送受話器が接続されたことを検出する盤側接続検出回路と、
前記火報端末に前記第２の送受話器が接続された際に、前記端末側接続検出回路から出力される検出信号に基づいて、前記アンプ回路及び前記盤側接続検出回路に電源を供給するように切り換え制御するスイッチ回路と、
を備えていることを特徴とする火災報知システム用電話装置。
【発明の詳細な説明】
【０００１】
【発明の属する技術分野】
本発明は、火災報知システム用電話装置に関し、特に、火災受信盤と、電話ジャックを備えた端末との間の通話を行うための火災報知システム用電話装置に関する。
【０００２】
【従来の技術】
従来、火災監視区域毎に設置された火報発信機や表示盤等の火報端末（以下、単に、発信機という）と、複数の発信機に電話線を介して接続された単一の火災受信盤（以下、単に、受信機という）を有して構成される火災報知システムにおいて、発信機側と受信機側との間で通話を行うための電話装置は、図８に示すような構成を有している。
【０００３】
すなわち、図８に示すように、発信機１１０及び受信機１３０の所定の位置に電話ジャックＰＪ１、ＰＪ２が設けられ、当該電話ジャックＰＪ１、ＰＪ２に送受話器１２０、１４０のピンプラグＰＰ１、ＰＰ２を各々差し込み接続することにより、特定の火災監視区域に設置された発信機１１０と、管理者側の受信機１３０とが電話線ＬＴにより接続されて所望の通話を行うことができる。なお、図８において、１３０Ａは、操作表示パネルであって、火災代表灯や地区表示窓、地区表示灯、スピーカ（又は、ブザー：以下、スピーカと総称する）ＳＰＡ、電話灯ＩＬＡ、音響停止スイッチ等が適宜配置されるとともに、操作表示パネル１３０Ａの下方に設けられた小扉（カバー）１３０Ｂの内側には、保守用の各種スイッチ、及び、電話ジャック（ピンジャック）ＰＪ２が設けられている。
【０００４】
ここで、従来の火災報知システム用電話装置の概略構成について、図９を参照して説明する。
図９において、発信機１１０及び受信機１３０に接続される各送受話器１２０、１４０は、通話時の音声を入出力するためのマイク１２１、１４１及びスピーカ１２２、１４２と、当該音声に対応する電気信号を増幅するためのアンプ回路１２３、１４３と、アンプ回路１２３、１４３からの電気信号を伝達するとともに、アンプ回路駆動用の電源を供給するための２芯の信号コードＬＣ１、ＬＣ２及び２極のピンプラグＰＰ１、ＰＰ２と、を各々備えた略同等の構成を有している。
【０００５】
発信機１１０は、発信機側の送受話器１２０を接続するためのピンジャックＰＪ１を備え、該ピンジャックＰＪ１に接続される送受話器１２０の２芯の信号コードＬＣ１に対応する２芯の電話線（Ｔ線、ＴＣ線）ＬＴを介して、受信機１３０に接続されている。
【０００６】
一方、受信機１３０は、発信機１１０との間に設けられたＴ線、ＴＣ線からなる２芯の電話線ＬＴの各々に、所定の電源電圧ＶＭＣ、ＧＮＤを供給する発信機側電源供給部１３１と、Ｔ線に流れる電流値の変化に基づいて、発信機に送受話器が接続されたか否かを検出する発信機側接続検出回路１３２と、受信機側の送受話器１４０を接続するためのピンジャックＰＪ２と、該ピンジャックＰＪ２を介して接続される受信機側の送受話器１４０に所定の電源電圧をＶＭＣ、ＧＮＤを供給する受信機側電源供給部１３３と、受信機側の送受話器１４０に電源が供給される信号線に流れる電流値の変化に基づいて、受信機１３０に送受話器が接続されたか否かを検出する受信機側接続検出回路１３４と、発信機側及び受信機側の電源供給部１３１、１３３間に設けられたカップリングコンデンサＣと、発信機側及び受信機側の各接続検出回路１３２、１３４から出力される検出信号に基づいて、図８に示した電話灯ＩＬＡの点灯やスピーカＳＰＡからの呼び出し音の出力を制御する制御回路（ＭＰＵ）１３５と、を備えた構成を有している。
【０００７】
このような構成を有する火災報知システム用電話装置において、各火災監視区域に設置されている発信機側から受信機側への通話が必要な場合には、図１０に示すように、まず、発信機１１０に備えられているピンジャックＰＪ１に、送受話器１２０のピンプラグＰＰ１を差し込み接続することにより、受信機１３０内部に設けられた発信機側電源供給部１３１から電源電圧ＶＭＣ、ＧＮＤが、電話線ＬＴを介して発信機側の送受話器１２０に内蔵されたアンプ回路１２３に供給される。
これによって、高電位電源（ＶＭＣ）側からＴ線、送受話器（アンプ回路１２３）１２０、ＴＣ線を介して低電位電源（ＧＮＤ）側に電流が流下するため、この電流を発信機側接続検出回路１３２により検出することにより、発信機１１０と送受話器１２０の接続状態を検出する。
【０００８】
制御回路１３５は、発信機側接続検出回路１３２から出力される検出信号に基づいて、発信機側からの通話要請があることを判断して、受信機１３０の操作表示パネル１３０Ａに設けられた電話灯ＩＬＡを点灯させるとともに、スピーカＳＰＡから呼び出し音を出力して、受信機側の管理者に報知する。
このような発信機側からの呼び出しに対して、図１１に示すように、管理者が、受信機１３０に備えられているピンジャックＰＪ２に、送受話器１４０のピンプラグＰＰ２を差し込み接続することにより、受信機１３０内部に設けられた受信機側電源供給部１３３から電源電圧ＶＭＣ、ＧＮＤが、受信機側の送受話器１４０に内蔵されたアンプ回路１４３に供給される。
【０００９】
これによって、高電位電源（ＶＭＣ）側から送受話器（アンプ回路１４３）１４０を介して低電位電源（ＧＮＤ）側に電流が流下するため、この電流を受信機側接続検出回路１３４により検出することにより、受信機１３０と送受話器１４０の接続状態を検出する。
このようにして、発信機側と受信機側の各送受話器１２０、１４０は、受信機１３０内部のカップリングコンデンサＣ及び電話線ＬＴを介して、通話可能な状態で接続されるとともに、受信機側接続検出回路１３４から出力される検出信号に基づいて、制御回路１３５は、スピーカＳＰＡからの呼び出し音の出力を停止する。
以上のような一連の動作制御により、発信機側と受信機側との間で通話回路が形成され、発信機１１０及び受信機１３０に接続された送受話器１２０、１４０を用いて、各火災監視区域からの火災の発生状況の報告や、火災報知システムの点検時の連絡等が行われていた。
【００１０】
【発明が解決しようとする課題】
しかしながら、上述した火災報知システム用電話装置においては、以下に示すような問題を有していた。
（１）発信機及び受信機に接続される送受話器は、スピーカ、マイクに加え、アンプ回路を実装したプリント基板を内蔵し、かつ、専用の２極のピンプラグにより、ピンジャックを介して受信機に接続されるという、火災報知システム独自（専用）の構成を有していたため、送受話器の製品コストが上昇するという問題を有している。
（２）図９に示した火災報知システム用電話装置の回路構成においては、受信機又は発信機に付設されたピンジャックに、送受話器のピンプラグを接続した状態では、受信機内部に設けられた発信機側及び受信機側の電源供給部の高電位電源（ＶＭＣ）側から送受話器を介して低電位電源（ＧＮＤ）側に常時電流が流下する回路構成を有しているため、例えば、受信機側の送受話器を接続した状態を継続すると、受信機の監視電流（消費電流）が増大するという問題を有している。
【００１１】
本発明は、このような問題点に鑑み、電話装置の構成品を汎用化して製品コストの削減を図ることができ、かつ、受信機に送受話器を接続した状態を継続した場合であっても、監視電流の増加を抑制することができる火災報知システム用電話装置を提供することを目的とする。
【００１２】
【課題を解決するための手段】
請求項１記載の発明に係る火災報知システム用電話装置は、各々電話ジャックを備えた火報端末及び火災受信盤とを電話線を介して接続し、該火報端末と該火災受信盤との間で通話を行う火災報知システム用電話装置において、
前記火災受信盤に備えられた前記電話ジャックを介して、前記火災受信盤に接続される第１の送受話器は、スピーカ及びマイクのみを内蔵するとともに、
前記火災受信盤は、
前記第１の送受話器に内蔵された前記マイクからの入力信号、及び、前記スピーカへの出力信号を増幅するアンプ回路と、
前記火報端末に備えられた前記電話ジャックを介して、前記火報端末に専用の第２の送受話器が接続されたことを検出する端末側接続検出回路と、
前記火災受信盤に備えられた前記電話ジャックを介して、前記火災受信盤に前記第１の送受話器が接続されたことを検出する盤側接続検出回路と、
前記火報端末に前記第２の送受話器が接続された際に、前記端末側接続検出回路から出力される検出信号に基づいて、前記アンプ回路及び前記盤側接続検出回路に電源を供給するように切り換え制御するスイッチ回路と、
を備えていることを特徴としている。
【００１５】
【発明の実施の形態】
以下、本発明に係る火災報知システム用電話装置の実施形態について、図面を参照しながら説明する。
図１は、本発明に係る火災報知システム用電話装置の一実施形態を示す外観構成図であり、図２は、本発明に係る火災報知システム用電話装置の一実施形態を示す内部構成図である。ここで、上述した従来技術と同等の構成については、同一の符号を付して説明する。
【００１６】
図１に示すように、火災報知システム用電話装置１００は、火報発信機や表示盤等の火報端末（発信機）１０と、発信機１０にピンジャック（電話ジャック）ＰＪ及びピンプラグＰＰを介して接続される送受話器（第２の送受話器）２０と、複数の発信機（図示を省略したものを含む）１０に電話線ＬＴを介して接続された単一の火災受信盤（受信機）３０と、受信機３０にモジュラージャックＭＪ及びモジュラープラグＭＰを介して接続される送受話器（第１の送受話器）４０と、を有して構成されている。なお、実際には、火災受信盤３０から引き出された電話線ＬＴに対し、複数の火報端末１０が接続されることになる。
【００１７】
以下、各構成について、図１及び図２を参照して説明する。
発信機１０は、火災監視区域毎に設置され、本来の火災報知機能部に加えて、専用の送受話器２０を接続するためのピンジャックＰＪを備えている。また、発信機側の送受話器２０は、従来技術に示したものと同様に、音声を入出力するためのマイク２１及びスピーカ２２と、当該音声に対応する電気信号を増幅するためのアンプ回路２３と、アンプ回路２３からの電気信号を伝達するとともに、アンプ回路駆動用の電源を供給するための２芯の信号コードＬＣ及び２極のピンプラグＰＰと、を備えている。そして、発信機１０は、ピンジャックＰＪに接続される送受話器２０の２芯の信号コードＬＣに対応する２芯の電話線（Ｔ線、ＴＣ線）ＬＴを介して、受信機３０に接続されている。
【００１８】
受信機３０は、本来の火災監視機能部に加えて、発信機１０との間に設けられたＴ線、ＴＣ線からなる２芯の電話線ＬＴの各々に、所定の電源電圧Ｖin、ＧＮＤを常時印加する電源（Ｖin、ＧＮＤ）と、電源（Ｖin）とＴ線の間に設けられ、Ｔ線に流れる電流値の変化に基づいて、発信機１０に送受話器２０が接続されたか否かを検出する発信機側接続検出回路（端末側接続検出回路）３１と、受信機側の送受話器４０を接続するためのモジュラージャックＭＪと、受信機側の送受話器４０に内蔵されたマイク４１及びスピーカ４２を介して入出力される音声に対応する電気信号を増幅するためのアンプ回路３２と、モジュラージャックＭＪを介して受信機３０に送受話器４０が接続されたか否かを検出する受信機側接続検出回路（盤側接続検出回路）３３と、発信機側接続検出回路３１から出力される検出信号に基づいて、アンプ回路３２及び受信機側接続検出回路３３への電源（ＶＭＣ）の供給を制御するスイッチ回路３４と、発信機側及び受信機側の接続検出回路３１、３３から出力される検出信号に基づいて、操作表示パネル３０Ａに設けられた電話灯ＩＬの点灯やスピーカ（又は、ブザー）ＳＰからの呼び出し音の出力を制御する制御回路（ＭＰＵ）３５と、を備えている。
【００１９】
また、受信機側の送受話器４０は、音声を入出力するためのマイク４１及びスピーカ４２と、入出力される音声に対応する電気信号を伝達するとともに、マイク４１及びスピーカ４２に接地電位ＧＮＤを供給するための４芯のモジュラーケーブルＭＣ及び４極のモジュラープラグＭＰを備えている。
すなわち、発信機側接続検出回路３１には、常時電源（Ｖin）が供給されて、発信機１０と発信器側の送受話器２０との接続状態が常時監視され、一方、受信機側接続検出回路３３には、発信機側接続検出回路３１から出力される検出信号が、発信機１０に送受話器２０が接続されことを示す信号である場合にのみ、スイッチング回路３４が切り換え制御されて、電源ＶＭＣ（Ｖin）が供給される。
【００２０】
次に、上述したような構成を有する火災報知システム用電話装置に適用される受信機について、図面を参照して説明する。
図３は、本実施形態に係る火災報知システム用電話装置に適用される火災受信盤（受信機）の操作表示パネルの一例を示す概略図である。
図３に示す火災受信盤の操作表示パネル３０Ａにおいて、火災代表灯３０ａは、各火災監視区域に設けられる発信機１０又は火災感知器から発報がある場合に点滅する。また、地区代表灯３０ｂは、地区に対応して複数設けられ、発信機発報又は火災感知器発報があった場合に、該当する地区表示灯３０ｂが点滅する。
【００２１】
主操作部３０ｃは、電源表示灯等の各種表示灯や各種操作スイッチを備え、特に、発信機１０からの電話呼び出し時には、電話灯ＩＬが点灯し、スピーカＳＰが鳴動して呼び出し音が出力される。なお、音響停止スイッチＳＡは、スピーカＳＰからの呼び出し音を任意に停止したい場合に押下する。
保守操作部３０ｄは、保守点検作業時に使用する各種操作スイッチや電話ジャックＭＪを備え、通常は、図１に示した小扉（カバー）３０Ｂにより保護されて、操作スイッチ類に直接接触できないように構成されている。ここで、電話ジャックＭＪは、上述したように、受信機側の送受話器４０に内蔵されたマイク４１及びスピーカ４２への入出力信号、及び、接地電位ＧＮＤを供給するための４芯のモジュラージャックを備えている。
【００２２】
次に、上述したような構成を有する火災報知システム用電話装置における動作制御について、図面を参照して詳しく説明する。
図４は、本実施形態に係る火災報知システム用電話装置における電話呼び出し状態を示す概念図であり、図５は、本実施形態に係る火災報知システム用電話装置における呼び出し応答状態を示す概念図であり、図６は、本実施形態に係る火災報知システム用電話装置における送受話器接続継続状態を示す概念図である。上述したような構成を有する火災報知システム用電話装置において、まず、各火災監視区域に設置されている発信機から受信機への通話を行う場合について、図４、図５を参照して説明する。なお、ここでは、必要に応じて、図２に示した内部構成、及び、図３に示した操作表示パネルを参照しながら説明する。
【００２３】
図４に示すように、まず、発信機１０に備えられているピンジャックＰＪに、発信機専用の送受話器２０のピンプラグＰＰを差し込み接続することにより、受信機３０内部に設けられた電源から電源電圧Ｖin、ＧＮＤが、電話線ＬＴを介して発信機１０に接続された送受話器２０に供給される。
これによって、高電位電源（Ｖin）から発信機側接続検出回路３１、Ｔ線、発信機側の送受話器（アンプ回路２３）２０、ＴＣ線を介して低電位電源（ＧＮＤ）に電流が流下するため、この電流を発信機側接続検出回路３１により検出することにより、発信機１０と送受話器２０の接続状態を検出する。
【００２４】
発信機側接続検出回路３１から出力される、発信機１０と送受話器２０の接続状態を示す検出信号は、スイッチ回路３４及び制御回路３５に出力される。スイッチング回路３４は、この検出信号に基づいて、ＯＮ動作して電源電圧Ｖinを電源ＶＭＣとして、受信機に内蔵された受信機側のアンプ回路３２及び受信機側接続検出回路３３に供給する。これにより、アンプ回路３２及び受信機側接続検出回路３３は駆動可能状態となる。
一方、制御回路３５は、発信機側接続検出回路３１から出力される検出信号に基づいて、発信機側からの通話要請があることを判断して、受信機３０の操作表示パネル３０Ａに設けられた電話灯ＩＬを点灯させるとともに、スピーカＳＰから呼び出し音を出力して、受信機側の管理者に報知する。
【００２５】
このような発信機側からの呼び出しに対して、図５に示すように、管理者が、受信機３０に備えられているモジュラージャックＭＪに、受信機側の送受話器４０のモジュラープラグＭＰを差し込み接続することにより、発信機側の送受話器２０と受信機側の送受話器４０が電話線ＬＴ及び受信機３０内部のカップリングコンデンサＣを介して、通話可能な状態で接続され、さらに、アンプ回路３２により、受信機側の送受話器４０に内蔵されたマイク４１及びスピーカ４２を介して入出力される音声に対応する電気信号が増幅されて、送受話器４０に伝送される。このとき、受信機側接続検出回路３３により、アンプ回路３２から送受話器４０を介して流下する電流を検出することにより、受信機３０と送受話器４０の接続状態を検出する。具体的には、アンプ回路３２から送受話器４０のマイク４１を介して受信機側のＧＮＤに電流が流下するため、この電流を受信機側接続検出回路３３が検出することにより、受信機３０と送受話器４０の接続状態が検出される。
【００２６】
受信機側接続検出回路３３から出力される、受信機３０と送受話器４０の接続状態を示す検出信号は、制御回路３５に出力され、制御回路３５は、この検出信号に基づいて、発信機側と受信機側との間で通話回路が形成されたことを判断して、受信機３０のスピーカＳＰから出力されている呼び出し音を停止する。
このようにして、発信機側と受信機側の送受話器２０、４０は、電話線ＬＴを介して通話可能な状態で接続され、各火災監視区域からの火災の発生状況の報告や、火災報知システムの点検時の連絡等に使用される。
【００２７】
次に、上述したような動作制御において、受信機３０に送受話器４０が接続されたままの状態が継続されている場合について、図６を参照して説明する。なお、ここでも、必要に応じて、図２に示した内部構成、及び、図３に示した操作表示パネルを参照しながら説明する。
図５に示したように、発信機１０のピンジャックＰＪに、送受話器２０のピンプラグＰＰが接続され、かつ、受信機３０のモジュラージャックＭＪに、送受話器４０のモジュラープラグＭＰが接続されたままの状態においては、電源（Ｖin）からアンプ回路３２及び受信機側接続検出回路３３に電源電圧ＶＭＣが常時供給されたままの状態となるため、受信機３０の監視電流が増大する。
【００２８】
そこで、発信機１０のピンジャックＰＪに接続された送受話器２０のピンプラグＰＰを抜き取ることにより、受信機３０の高電位電源（Ｖin）から発信機側接続検出回路３１、Ｔ線、発信機側の送受話器２０、ＴＣ線を介して低電位電源（ＧＮＤ）に流れる電流が遮断されるので、発信機側接続検出回路３１により、発信機１０と送受話器２０との接続解除状態が検出される。
そして、この接続解除状態を示す検出信号が発信機側接続検出回路３１からスイッチ回路３４に出力されることにより、スイッチ回路３４は、ＯＦＦ動作して受信機側のアンプ回路３２及び受信機側接続検出回路３３への電源電圧ＶＭＣの供給を遮断する。アンプ回路３２及び受信機側接続検出回路３３は、電源電圧ＶＭＣの供給遮断に伴って、駆動停止状態となり、受信機３０に送受話器４０が接続された状態であっても、電流消費が阻止される。
【００２９】
なお、再度発信機１０から通話要請を行う場合（他の火災監視区域に設置された発信機からの通話要請を含む）には、発信機１０のピンジャックＰＪに、送受話器２０のピンプラグＰＰを差し込み接続することにより、受信機３０の高電位電源（Ｖin）から発信機側接続検出回路３１、Ｔ線、発信機側の送受話器２０、ＴＣ線を介して低電位電源（ＧＮＤ）に電流が流下するので、発信機側接続検出回路３１により、発信機１０と送受話器２０との接続状態が検出され、アンプ回路３２及び受信機側接続検出回路３３に電源電圧ＶＭＣが供給されて、通話可能状態が実現される。
【００３０】
したがって、受信機３０に接続される送受話器４０は、マイク４１及びスピーカ４２のみを内蔵し、かつ、マイク４１及びスピーカ４２用の入出力線と、接地電位ＧＮＤを供給する４極（接地電位ＧＮＤを共通とすれば、３極）の端子接点を有する汎用のモジュラープラグＭＰを適用することにより、一般電話用の、汎用かつ簡易な構成を有する送受話器を採用することができ、専用の送受話器を採用した従来構成に比較して、火災報知システム用電話装置の製品コストを削減することができる。
【００３１】
また、受信機３０に送受話器４０を接続した状態を継続した場合であっても、発信機１０に接続された送受話器２０を抜き取る（非接続状態にする）ことにより、あるいは、発信機１０に送受話器２０が接続されていなければ、受信機側のアンプ回路３２及び受信機側接続検出回路３３への電源の供給を遮断して駆動停止状態とすることができるので、発信機及び受信機の双方に送受話器が接続され、通話回線が形成されたとき以外は、受信機内の回路に電流が流下することを阻止でき、受信機の監視電流を削減して消費電力を低減することができる。
【００３２】
次に、本発明に係る火災報知システム用電話装置の他の実施形態について、図面を参照しながら説明する。
図７は、本発明に係る火災報知システム用電話装置の他の実施形態を示す外観構成図である。ここで、上述した実施形態と同等の構成については、同一の符号を付して説明する。
本実施形態に係る火災報知システム用電話装置は、図７に示すように、受信機３０に接続される送受話器４０が、モジュラーケーブルＭＣを着脱可能な構成を有していることを特徴としている。
【００３３】
すなわち、送受話器４０は、受信機３０に備えられたモジュラージャックＭＪ１と同等の構成を有するモジュラージャックＭＪ２を備え、また、モジュラーケーブルＭＣには、両端に同一の構成を有するモジュラープラグＭＰ１、ＭＰ２が取り付けられている。そして、受信機３０及び送受話器４０は、このようなモジュラーケーブルＭＣを介して相互に接続されている。
したがって、このような構成を有する火災報知システム用電話装置においては、受信機３０に接続されるモジュラーケーブルＭＣ及び送受話器４０を、一般電話用の、汎用かつ簡易な構成により実現することができるとともに、モジュラーケーブルＭＣ単体、あるいは、送受話器４０単体が破損した場合にも、極めて容易かつ安価に代替え品を入手することができる。
【００３４】
【発明の効果】
請求項１記載の発明によれば、火災受信盤に備えられた電話ジャックを介して接続される送受話器が、スピーカ及びマイクのみを内蔵するとともに、火災受信盤が、送受話器に内蔵されたマイク及びスピーカからの入出力信号を増幅するアンプ回路を内蔵しているので、アンプ回路が実装されるプリント基板を送受話器側に内蔵する必要がなくなり、組立工程の簡略化を図ることができ、火災報知システム用電話装置のトータルコストを削減することができる。
また、火災受信盤は、火報端末に送受話器が接続されたことを検出する端末側接続検出回路と、火災受信盤に送受話器が接続されたことを検出する盤側接続検出回路と、火報端末に送受話器が接続された際に、端末側接続検出回路から出力される検出信号に基づいて、火災受信盤に接続される送受話器用のアンプ回路及び盤側接続検出回路に電源を供給するスイッチ回路と、を備えているので、火災受信盤に送受話器が接続されたままの状態であっても、火報端末に送受話器が接続されていなければ、上記アンプ回路及び盤側接続検出回路への電源の供給を遮断して駆動停止状態とすることができ、火災受信盤の監視電流を削減して消費電力を低減することができる。
【図面の簡単な説明】
【図１】本発明に係る火災報知システム用電話装置の一実施形態を示す外観構成図である。
【図２】本発明に係る火災報知システム用電話装置の一実施形態を示す内部構成図である。
【図３】一実施形態に係る火災報知システム用電話装置に適用される火災受信盤の操作表示パネルの一例を示す概略図である。
【図４】一実施形態に係る火災報知システム用電話装置における電話呼び出し状態を示す概念図である。
【図５】一実施形態に係る火災報知システム用電話装置における呼び出し応答状態を示す概念図である。
【図６】一実施形態に係る火災報知システム用電話装置における送受話器接続継続状態を示す概念図である。
【図７】本発明に係る火災報知システム用電話装置の他の実施形態を示す外観構成図である。
【図８】従来の火災報知システム用電話装置を示す外観構成図である。
【図９】従来の火災報知システム用電話装置の内部構成を示す概略図である。
【図１０】従来の火災報知システム用電話装置における電話呼び出し状態を示す概念図である。
【図１１】従来の火災報知システム用電話装置における呼び出し応答状態を示す概念図である。
【符号の説明】
１０            発信機（火報端末）
２０            発信機側送受話器
２１、４１      マイク
２２、４２      スピーカ
２３、３２      アンプ回路
３０            受信機（火災受信盤）
３０Ａ          操作表示パネル
３１            発信機側接続検出回路（端末側接続検出回路）
３３            受信機側接続検出回路（盤側接続検出回路）
３４            スイッチ回路
３５            制御回路（ＭＰＵ）
４０            受信機側送受話器
１００          火災報知システム用電話装置
【図１】
0003767880.tif 000002
【図２】
0003767880.tif 000003
【図３】
0003767880.tif 000004
【図４】
0003767880.tif 000005
【図５】
0003767880.tif 000006
【図６】
0003767880.tif 000007
【図７】
0003767880.tif 000008
【図８】
0003767880.tif 000009
【図９】
0003767880.tif 000010
【図１０】
0003767880.tif 000011
【図１１】
0003767880.tif 000012